(57)【要約】【要約書】【課題】  三月節句や五月節句における飾り付けのマンネリ化を打開して、新しい感覚の飾り映えのする節句用屏風を提供する。【解決手段】  上枠２と下枠３と側枠４にて長方形の枠体５を形成し、二本のレールを設けた上桟７と下桟８をレールが対応して窓９を形成するよう上枠２と下枠３間の上方寄りに設けた枠体５の窓９に、襖或は障子などからなる引戸１４ａ・ｂをレールに挿入し開閉可能に設け、枠体５側面一方に表板１２ａ・ｂを他方に裏板を設けて屏風本体１とし、上枠２と上桟７に長細形の切抜穴を枠体５の側面の他方寄りでレールに当たらないで且つ平行に枠体５の長手方向の略半分となるよう穿設し、写真或は絵画からなる透視可能とした飾材１７を長方形の飾枠の一面に設けた飾体を、切抜穴に飾材１７が引戸１４ａ・１４ｂ側となるよう挿脱可能とし、飾材１７の後方に回転灯を設けたものである。【選択図】        図１
0003106778.tif 000002
【実用新案登録請求の範囲】
【請求項１】
上枠と下枠と側枠にて長方形の枠体を形成し、二本のレールを設けた上桟と下桟をレールが対応して窓を形成するよう上枠と下枠間の上方寄りに設けた枠体の窓に、襖或は障子などからなる引戸をレールに挿入し開閉可能に設け、枠体側面一方に表板を他方に裏板を設けて屏風本体としたことを特徴とする節句用屏風。
【請求項２】
枠体の上枠と上桟に長細形の切抜穴を枠体側面の他方寄りでレールに当たらないで且つ平行に枠体の長手方向の略半分となるよう穿設し、写真或は絵画からなる透視可能とした飾材を長方形の飾枠の一面に設けた飾体５を、切抜穴に飾材が引戸側となるよう挿脱可能とした請求項１記載の節句用屏風。
【請求項３】
電球を中央にして周囲に透明或は半透明で濃淡を設けて円筒とした回転筒をモーターにて回転可能とした回転灯を、飾材の後方の飾枠内に設けた請求項２記載の節句用屏風。
【考案の詳細な説明】
【技術分野】
【０００１】  本考案は、三月節句や五月節句に人形や道具或は甲冑等を飾って祝う時、背後に設けて飾りを引立てる屏風に関するものである。
【背景技術】
【０００２】  三月節句や五月節句に人形や道具或は甲冑等を屏風の前方に飾っているが、どの場合も屏風は折畳みのものが殆どで、広げて壁面に描かれている模様や風景が見えるように正面に向けて折り曲げ状態として設けている。
【考案が解決しようとする課題】
【０００３】  このように広げて壁面に描かれている模様や風景が見えるように正面に向けて折り曲げ状態として背後に屏風を設けているが、壁面に描かれている模様や風景を変えて変化を持たせる以外に新鮮味がなくマンネリ化してきており、三月節句や五月節句に人形や道具或は甲冑等を屏風の前方に飾る上に於いて非常に不都合を感じていた。
【課題を解決するための手段】
【０００４】  本考案はこのような不都合を解消するもので、
上枠と下枠と側枠にて長方形の枠体を形成し、二本のレールを設けた上桟と下桟をレールが対応して窓を形成するよう上枠と下枠間の上方寄りに設けた枠体の窓に、襖或は障子などからなる引戸をレールに挿入し開閉可能に設け、枠体側面一方に表板を他方に裏板を設けて屏風本体とし、
枠体の上枠と上桟に長細形の切抜穴を枠体側面の他方寄りでレールに当たらないで且つ平行に枠体の長手方向の略半分となるよう穿設し、写真或は絵画からなる透視可能とした飾材を長方形の飾枠の一面に設けた飾体５を、切抜穴に飾材が引戸側となるよう挿脱可能とし、  電球を中央にして周囲に透明或は半透明で濃淡を設けて円筒とした回転筒をモーターにて回転可能とした回転灯を、飾材の後方の飾枠内に設けたものである。
【０００５】  使用に当たっては、屏風本体を雛壇の最上段の奥に引戸を前方に向けて設置し、引戸を開いて飾材が見えるようにして順番に人形等を飾る。
飾り付けが終わるり回転灯を作動すると、飾材の一部分が照られ回転灯からの光線の濃淡によって一部分が揺れるように見え今までと違った雰囲気を醸し出す。
又、回転灯を使用しない時には、引戸を閉じて障子による和風の雰囲気を漂わせる状態として用いる。
【考案の効果】
【０００６】  上述の如く本考案の請求項１に於いては、今までに無かった引戸による和風の雰囲気を漂わせることによって全体を飾り映えがするよ。
請求項２に於いては、和風の雰囲気のなかに更に写真や絵画の飾材によって豊かな情緒溢れる雰囲気を醸し出す。
請求項３に於いては、回転灯の光の濃淡の利用によって飾材の画面に揺れを与えるため今までと違った新しい飾り情景とした。
このように引戸と飾材と回転灯の相乗作用によって今までに無い雰囲気を漂わせ、全く新しい感覚の飾り付けとなり飽きる事無く見て楽しむことが出来る等多くの特長が有り実用上非常に優れた考案である。
【考案を実施するための最良の形態】
【０００７】  上枠と下枠と側枠にて長方形の枠体を形成し、二本のレールを設けた上桟と下桟をレールが対応して窓を形成するよう上枠と下枠間の上方寄りに設けた枠体の窓に、襖或は障子などからなる引戸をレールに挿入し開閉可能に設け、枠体側面一方に表板を他方に裏板を設けて屏風本体とし、枠体の上枠と上桟に長細形の切抜穴を枠体側面の他方寄りでレールに当たらないで且つ平行に枠体の長手方向の略半分となるよう穿設し、写真或は絵画からなる透視可能とした飾材を長方形の飾枠の一面に設けた飾体５を、切抜穴に飾材が引戸側となるよう挿脱可能とし、電球を中央にして周囲に透明或は半透明で濃淡を設けて円筒とした回転筒をモーターにて回転可能とした回転灯を、飾材の後方の飾枠内に設けたものである。
【実施例１】
【０００８】  以下本考案の一実施例を図面について説明する。
図中１は屏風本体であって、上枠２と下枠３と側枠４にて長方形の枠体５を形成し、二本のレール６を設けた上桟７と下桟８をレール６が対応して窓９を形成するよう枠体５内の上方寄りに設け、上枠２と上桟７に長細形の切抜穴１０を枠体５の側面の他方寄りでレール６に当たらないで平行に枠体５の長手方向の略半分の長さとなるよう穿設し、切抜穴１０の長手方向の両端に補強材１１ａを上枠２と上桟７間及び補強材１１ｂを上桟７と下桟８間に設け、表板１２ａを上枠２と上桟７上に表板１２ｂを下枠３と下桟８上の側面一方に設けると共に、裏板１３を側面の他方全面に設けている。
１４ａ・ｂは障子からなる引戸であって、前記上桟７と下桟８のレール６に挿設し、該引戸１４ａ二枚を中央としてその両側に引戸１４ｂを重ね合わせ引戸１４ａを側面の一方寄りに設けて開閉を可能としている。【０００９】  １５は飾体であって、切抜穴１０に挿入可能とした長方形で上部に把手を設けた飾枠１６の一面に、渓流の滝の部分と開花した桜と五重の塔などを組み合わせて合成した透視可能な写真からなる飾材１７を密着にて設けた透明な非金属材よりなる飾板１８を設け、該飾体１５を切抜穴１０に挿脱可能に設けている。
１９は電球を中央にして周囲に透明或は半透明で濃淡を設けて円筒とした回転筒２０をモーター２１にて回転可能とした公知の回転灯であって、飾材１７の後方となるよう飾枠１６内に回転筒２０を直立させて設け、飾体１５と共に切抜穴１０に挿入し飾材１７が引戸１４ａの後方に設けコード２２を切抜穴１０上部より引き出し電源に接続を可能としている。
尚、飾板１８を用いなく直接飾材１７を飾枠１６の一面に設けるようにしても良い。【００１０】  使用に当たっては、屏風本体１を雛壇の最上段の奥に引戸１４ａ・ｂを前方に向けて設置し、コンセントを接続して回転灯１９の作動を可能として置く。
そして引戸１４ａを開いて飾材１７が見えるようにして順番に雛人形を飾り、スイッチを入れて回転灯１９を作動する。
回転灯１９の作動により飾材１７の渓流部分が照らされ、回転灯１７からの光線の濃淡によって渓流の流れが波打つように見え今までと違った雰囲気を醸し出す。
又、回転灯１９を使用しない時には、引戸１４ａを閉じて障子による和風の雰囲気を漂わせる状態として用いる。
【産業上の利用可能性】
【００１１】  三月節句や五月節句或は七夕（７月７日）や重陽（９月９日）や人日（１月７日）などの五節句に用いることが出来る。
【図面の簡単な説明】
【００１２】
【図１】実施例の一部を破断した正面図
【図２】実施例の平面図
【図３】図１のＡ−Ａ断面拡大図
【図４】図１のＢ−Ｂ断面拡大図
【符号の説明】
【００１３】  １    屏風本体
２    上枠
３    下枠
４    側枠
５    枠体
６    レール
７    上桟
８    下桟
９    窓
１０    切抜穴
１２ａ  表板
１２ｂ  表板
１３    裏板
１４ａ  引戸
１４ｂ  引戸
１５    飾体
１６    飾枠
１７    飾材
１９    回転灯
２０    回転筒
２１    モーター２２
【図１】
0003106778.tif 000003
【図２】
0003106778.tif 000004
【図３】
0003106778.tif 000005
【図４】
0003106778.tif 000006